【手続補正書】
【提出日】平成20年9月10日(2008.9.10)
【手続補正１】
【補正対象書類名】明細書
【補正対象項目名】特許請求の範囲
【補正方法】変更
【補正の内容】
【特許請求の範囲】
【請求項１】
サービス処理スイッチ内で複数の仮想ルータを確立することであって、該サービス処理スイッチは、公開通信ネットワークと複数の加入者サイトとの間に論理的に挿入されるように動作可能であり、該サービス処理スイッチは、サービスプロバイダの複数の加入者にサービスを提供するように動作可能であり、該複数の仮想ルータの各々は、該サービス処理スイッチの処理および格納リソースのサブセットと関連している、ことと、
カスタマイズされたアプリケーション層サービスの第１のセットを該複数の加入者のうちの第１の加入者に提供し、カスタマイズされたアプリケーション層サービスの第２のセットを該複数の加入者のうちの第２の加入者に提供し、該複数の仮想ルータを該第１の加入者か該第２の加入者かに区分けすることによって加入者リソース分離を提供することであって、該区分けすることは、（ｉ）該複数の仮想ルータの第１のサブセットを含む第１の区分を該第１の加入者に割り当て構成することと、（ｉｉ）該複数の仮想ルータの第２のサブセットを含む第２の区分を該第２の加入者に割り当て構成することとを含む、ことと、
該カスタマイズされたアプリケーション層サービスの第１のセットおよび該カスタマイズされたアプリケーション層サービスの第２のセットの相対的な処理要求に基づいて、該サービス処理スイッチのリソースを該第１の区分と該第２の区分との間で動的に再割り当てすることによって、該第１の加入者と該第２の加入者との間での処理キャパシティの変更可能な供給を提供することと
を含む、方法。
【請求項２】
前記カスタマイズされたアプリケーション層サービスの第１のセットは、ファイアウォール保護と、ウェブサイトホスティングと、インターネットサービスと、電子メールサービスと、仮想プライベートネットワークサービスとのうちの１つ以上を含む、請求項１に記載の方法。
【請求項３】
前記提供することにおいて、前記第１の加入者と前記第２の加入者との間での処理キャパシティの変更可能な供給は、前記サービスプロバイダのサービス管理システムによって制御される、請求項１に記載の方法。
【請求項４】
インターネットプロトコル（ＩＰ）サービス配信プラットフォームであって、
該ＩＰサービス配信プラットフォームは、
カスタマイズされたアプリケーション層サービスをサービスプロバイダの複数の加入者に提供するように第１のＰＯＰ（ｐｏｉｎｔ−ｏｆ  ｐｒｅｓｅｎｃｅ）内で動作可能な第１のサービス処理スイッチであって、該第１のＰＯＰは、該複数の加入者のうちの第１の加入者の第１のサイトと、該複数の加入者のうちの第２の加入者の第１のサイトとに関連しており、該第１のサービス処理スイッチは、処理リソースの第１のセットを含み、該第１のサービス処理スイッチには仮想ルータの第１のセットが確立されており、該仮想ルータの第１のセットには、該処理リソースの第１のセットが最初に割り当てられている、第１のサービス処理スイッチと、
ネットワークを介して該第１のサービス処理スイッチと通信可能なように結合された第２のサービス処理スイッチであって、該第２のサービス処理スイッチは、カスタマイズされたアプリケーション層サービスを該複数の加入者に提供するように第２のＰＯＰ内で動作可能であり、該第２のＰＯＰは、該第１の加入者の第２のサイトと、該第２の加入者の第２のサイトとに関連しており、該第２のサービス処理スイッチは、処理リソースの第２のセットを含み、該第２のサービス処理スイッチには仮想ルータの第２のセットが確立されており、該仮想ルータの第２のセットには、該処理リソースの第２のセットが最初に割り当てられている、第２のサービス処理スイッチと
を備え、
該第１の加入者に提供されたカスタマイズされたアプリケーション層サービスの第１のセットに関連した処理リソースと、該第２の加入者に提供されたカスタマイズされたアプリケーション層サービスの第２のセットに関連した処理リソースとの間の分離は、該第１の加入者か該第２の加入者かへの該仮想ルータの第１のセットおよび該仮想ルータの第２のセットの区分けによって達成され、該区分けは、（ｉ）該仮想ルータの第１のセットの第１のサブセットと該仮想ルータの第２のセットの第１のサブセットとを含む第１の区分を該第１の加入者に割り当て構成することと、（ｉｉ）該仮想ルータの第１のセットの第２のサブセットと該仮想ルータの第２のセットの第２のサブセットとを含む第２の区分を該第２の加入者に割り当て構成することとを含み、
該第１のサービス処理スイッチおよび該第２のサービス処理スイッチは、該第１の加入者および該第２の加入者の相対的な処理要求に基づいて、該処理リソースの第１のセットまたは該処理リソースの第２のセットを該第１の区分と該第２の区分との間で動的に再割り当てすることによって、該第１の加入者と該第２の加入者との間での処理キャパシティの変更可能な供給を提供するように動作可能である、ＩＰサービス配信プラットフォーム。
【請求項５】
前記第１の加入者には、前記ネットワークを介する第１のセキュアな通信チャネルを確立することと、前記第１の区分の仮想ルータを相互接続することとによって、前記第１の加入者の前記第１のサイトを該第１の加入者の前記第２のサイトに通信可能なように結合する第１の仮想プライベートネットワーク（ＶＰＮ）が提供される、請求項４に記載のＩＰサービス配信プラットフォーム。
【請求項６】
前記第２の加入者には、前記ネットワークを介する第２のセキュアな通信チャネルを確立することと、前記第２の区分の仮想ルータを相互接続することとによって、前記第２の加入者の前記第１のサイトを該第２の加入者の前記第２のサイトに通信可能なように結合する第２のＶＰＮが提供される、請求項５に記載のＩＰサービス配信プラットフォーム。
【請求項７】
前記第１のセキュアな通信チャネルおよび前記第２のセキュアな通信チャネルは、前記第１のサービス処理スイッチと前記第２のサービス処理スイッチとの間で単一のセキュアなトンネルを共有することによって確立される、請求項６に記載のＩＰサービス配信プラットフォーム。
【請求項８】
前記第１のサービス処理スイッチおよび前記第２のサービス処理スイッチに通信可能なように結合されるサービス管理システムをさらに備え、前記処理キャパシティの変更可能な供給は、該サービス管理システムによって発せられる命令に応答する、請求項４に記載のＩＰサービス配信プラットフォーム。
【請求項９】
サービスプロバイダの複数の加入者にサービスを提供するために公開通信ネットワークと複数の加入者サイトとの間に論理的に挿入されるようにサービスプロバイダネットワーク内で動作可能なサービス処理スイッチであって、
該サービス処理スイッチは、複数のサービスブレードと複数の仮想ルータとを備え、
該複数のサービスブレードの各々は、複数の処理リソースと複数の格納リソースとを有し、
該複数の仮想ルータの各々は、該複数の処理リソースのサブセットおよび該複数の格納リソースのサブセットに関連し、
該複数の処理リソースのうちの該複数の加入者のうちの第１の加入者に提供されたカスタマイズされたアプリケーション層サービスの第１のセットに関連した処理リソース、および該複数の格納リソースのうちの該複数の加入者のうちの第１の加入者に提供されたカスタマイズされたアプリケーション層サービスの第１のセットに関連した格納リソースと、該複数の処理リソースのうちの該複数の加入者のうちの第２の加入者に提供されたカスタマイズされたアプリケーション層サービスの第２のセットに関連した処理リソース、および該複数の格納リソースのうちの該複数の加入者のうちの第２の加入者に提供されたカスタマイズされたアプリケーション層サービスの第２のセットに関連した格納リソースとの間の分離は、該複数の仮想ルータを第１の区分と第２の区分とに区分けすることにより達成され、該区分けすることは、（ｉ）該複数の仮想ルータの第１のサブセットを含む該第１の区分を該第１の加入者に割り当て構成することと、（ｉｉ）該複数の仮想ルータの第２のサブセットを含む該第２の区分を該第２の加入者に割り当て構成することとを含み、
該サービス処理スイッチは、該第１の加入者および該第２の加入者の相対的なニーズに基づいて、該複数の処理リソースまたは該複数の格納リソースを該第１の区分と該第２の区分との間で動的に再割り当てすることによって、該第１の加入者と該第２の加入者との間でのリソースキャパシティの変更可能な供給を提供するように動作可能である、サービス処理スイッチ。
【請求項１０】
サービス処理スイッチ内で複数の仮想ルータを確立するステップであって、該サービス処理スイッチは、公開通信ネットワークと複数の加入者サイトとの間に論理的に挿入されるように動作可能であり、該サービス処理スイッチは、サービスプロバイダの複数の加入者にサービスを提供するように動作可能であり、該複数の仮想ルータの各々は、該サービス処理スイッチの処理および格納リソースのサブセットと関連している、ステップと、
カスタマイズされたアプリケーション層サービスの第１のセットを該複数の加入者のうちの第１の加入者に提供し、カスタマイズされたアプリケーション層サービスの第２のセットを該複数の加入者のうちの第２の加入者に提供し、該複数の仮想ルータを該第１の加入者か該第２の加入者かに区分けすることによって加入者リソース分離を提供するステップと、
該カスタマイズされたアプリケーション層サービスの第１のセットおよび該カスタマイズされたアプリケーション層サービスの第２のセットの相対的な処理要求を解決するように該サービス処理スイッチのリソースを動的に再割り当てするステップと
を含む、方法。
【請求項１１】
インターネットプロトコル（ＩＰ）サービス配信プラットフォームであって、
該ＩＰサービス配信プラットフォームは、
カスタマイズされたアプリケーション層サービスをサービスプロバイダの複数の加入者に提供するように第１のＰＯＰ（ｐｏｉｎｔ−ｏｆ  ｐｒｅｓｅｎｃｅ）内で動作可能な第１のサービス処理スイッチ手段であって、該第１のＰＯＰは、該複数の加入者のうちの第１の加入者の第１のサイトと、該複数の加入者のうちの第２の加入者の第１のサイトとに関連しており、該第１のサービス処理スイッチ手段は、処理リソースの第１のセットを含み、該第１のサービス処理スイッチ手段には仮想ルータの第１のセットが確立されており、該仮想ルータの第１のセットには、該処理リソースの第１のセットが最初に割り当てられている、第１のサービス処理スイッチ手段と、
ネットワークを介して該第１のサービス処理スイッチ手段と通信可能なように結合された第２のサービス処理スイッチ手段であって、該第２のサービス処理スイッチ手段は、カスタマイズされたアプリケーション層サービスを該複数の加入者に提供するように第２のＰＯＰ内で動作可能であり、該第２のＰＯＰは、該第１の加入者の第２のサイトと、該第２の加入者の第２のサイトとに関連しており、該第２のサービス処理スイッチ手段は、処理リソースの第２のセットを含み、該第２のサービス処理スイッチ手段には仮想ルータの第２のセットが確立されており、該仮想ルータの第２のセットには、該処理リソースの第２のセットが最初に割り当てられている、第２のサービス処理スイッチ手段と
を備え、
該第１の加入者に提供されたカスタマイズされたアプリケーション層サービスの第１のセットに関連した処理リソースと、該第２の加入者に提供されたカスタマイズされたアプリケーション層サービスの第２のセットに関連した処理リソースとの間の分離は、該第１の加入者か該第２の加入者かへの該仮想ルータの第１のセットおよび該仮想ルータの第２のセットの区分けによって達成され、該区分けは、（ｉ）該仮想ルータの第１のセットの第１のサブセットと該仮想ルータの第２のセットの第１のサブセットとを含む第１の区分を該第１の加入者に割り当て構成することと、（ｉｉ）該仮想ルータの第１のセットの第２のサブセットと該仮想ルータの第２のセットの第２のサブセットとを含む第２の区分を該第２の加入者に割り当て構成することとを含み、
該第１のサービス処理スイッチ手段および該第２のサービス処理スイッチ手段は、該第１の加入者および該第２の加入者の相対的な処理要求に基づいて、該処理リソースの第１のセットまたは該処理リソースの第２のセットを該第１の区分と該第２の区分との間で動的に再割り当てすることによって、該第１の加入者と該第２の加入者との間での処理キャパシティの変更可能な供給を提供するようにさらに動作可能である、ＩＰサービス配信プラットフォーム。
【請求項１２】
サービス処理スイッチによって読み取り可能なプログラム格納デバイスであって、該読み取り可能なプログラム格納デバイスは、カスタマイズされたアプリケーション層サービスをサービスプロバイダの複数の加入者に提供する方法ステップを実行させるように該サービス処理スイッチによって実行可能な命令のプログラムを具体的に実現し、
該方法ステップは、
該サービス処理スイッチ内で複数の仮想ルータを確立することであって、該サービス処理スイッチは、公開通信ネットワークと複数の加入者サイトとの間に論理的に挿入されるように動作可能であり、該サービス処理スイッチは、該複数の加入者にサービスを提供するように動作可能であり、該複数の仮想ルータの各々は、該サービス処理スイッチの処理および格納リソースのサブセットと関連している、ことと、
カスタマイズされたアプリケーション層サービスの第１のセットを該複数の加入者のうちの第１の加入者に提供し、カスタマイズされたアプリケーション層サービスの第２のセットを該複数の加入者のうちの第２の加入者に提供し、該複数の仮想ルータを該第１の加入者か該第２の加入者かに区分けすることによって加入者リソース分離を提供することであって、該区分けすることは、（ｉ）該複数の仮想ルータの第１のサブセットを含む第１の区分を該第１の加入者に割り当て構成することと、（ｉｉ）該複数の仮想ルータの第２のサブセットを含む第２の区分を該第２の加入者に割り当て構成することとを含む、ことと、
該カスタマイズされたアプリケーション層サービスの第１のセットおよび該カスタマイズされたアプリケーション層サービスの第２のセットの相対的な処理要求に基づいて、該サービス処理スイッチのリソースを該第１の区分と該第２の区分との間で動的に再割り当てすることによって、該第１の加入者と該第２の加入者との間での処理キャパシティの変更可能な供給を提供することと
を含む、読み取り可能なプログラム格納デバイス。